【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
標準精細度（SD）互換フォーマットの高精細度（HD）ビデオ画像を提供するシステムであって、
HDビデオ画像をSDビデオフォーマットにスケールダウンするシステムと、
前記SDビデオを符号化するシステムと、
各HDビデオ画像の細部マップを生成するシステムと、
前記SD互換フォーマットに前記SDビデオと各細部マップを格納するシステムとを有することを特徴とするシステム。
【請求項２】
請求項１に記載のシステムであって、
各細部マップは前記HDビデオ画像のエッジディテール（edge  detail）を記述することを特徴とするシステム。
【請求項３】
請求項２に記載のシステムであって、
前記細部マップを生成するシステムは、
前記HDビデオ画像の各領域の輝度レベルおよび活動レベルから導かれた閾値を有する閾値マップを生成するシステムと、
前記閾値を、前記HDビデオ画像から生成された高周波数画像の対応する値と比較するシステムとを有することを特徴とするシステム。
【請求項４】
請求項３に記載のシステムであって、
前記細部マップを生成するシステムは、他のエッジディテールから所定距離より大きい距離だけ離れているエッジディテールを削除するライン減少システムをさらに含むことを特徴とするシステム。
【請求項５】
請求項１に記載のシステムであって、
前記細部マップを生成するシステムは、前記細部マップを圧縮する圧縮システムを有することを特徴とするシステム。
【請求項６】
請求項１に記載のシステムであって、
前記細部マップは、正の増強を要する領域を示す正値と、負の増強を要する領域を示す負値と、増強を要さない領域を示すゼロとを含むことを特徴とするシステム。
【請求項７】
請求項１に記載のシステムであって、
前記符号化するシステムはMPEG-2エンコーダを有し、前記SD互換媒体はDVDを有することを特徴とするシステム。
【請求項８】
請求項１に記載のシステムであって、
前記SDビデオと前記細部マップは、約５メガバイト／秒の結合レートで格納されることを特徴とするシステム。
【請求項９】
請求項１に記載のシステムであって、
前記細部マップは１メガビット／秒より低いレートで格納されることを特徴とするシステム。
【請求項１０】
請求項１に記載のシステムであって、
前記SDビデオをワイドスクリーンフォーマット、レターボックスフォーマット、スキャン・アンド・パンフォーマットにフォーマットするアスペクト比フォーマットシステムをさらに有することを特徴とするシステム。
【請求項１１】
請求項１に記載のシステムであって、
前記SDビデオは、プログレッシブおよびインターレースよりなるグループから選択されたフォーマットに格納されることを特徴とするシステム。
【請求項１２】
請求項１に記載のシステムであって、
前記細部マップはMPEGユーザデータフィールドに格納されることを特徴とするシステム。
【請求項１３】
標準精細（SD）フォーマットビットストリームから高精細（HD）ビデオ画像を再構成する再生システムであって、
前記ビットストリームからSDデータを抽出し復号するシステムと、
前記ビットストリームから各画像に関連する細部マップを抽出するシステムと、
前記復号されたSDデータをデ・インターレースするシステムと、
前記HDビデオ画像を生成するために、前記細部マップを用いて前記復号したSDデータをアップスケーリングし後処理するシステムとを有することを特徴とする再生システム。
【請求項１４】
請求項１３に記載の再生システムであって、
前記細部マップは、記録プロセス中に抽出されたエッジディテールに関係する情報を有することを特徴とする再生システム。
【請求項１５】
請求項１３に記載の再生システムであって、前記後処理システムは、前記細部マップを用いて細部を前記ビデオ画像に加え戻した後に適応的ピーキングを適用することを特徴とする再生システム。
【請求項１６】
請求項１３に記載の再生システムであって、
前記後処理システムは、前記細部マップを用いて前記ビデオ画像に細部を加え戻した後に輝度遷移改良に適用されることを特徴とする再生システム。
【請求項１７】
標準精細度（SD）互換媒体に高精細度（HD）ビデオ画像を記録する方法であって、
前記HDビデオ画像をSDビデオフォーマットにスケールダウンするステップと、
前記SDビデオを符号化するステップと、
各HDビデオ画像のエッジディテールを記述する細部マップを各HDビデオ画像について生成するステップと、
前記SDビデオと前記細部マップを前記SD互換媒体に格納するステップを有することを特徴とする方法。
【請求項１８】
請求項１７に記載の方法であって、
前記細部マップを生成するステップは、
HDビデオ画像から高周波数画像データを抽出するステップと、
前記HDビデオ画像の各領域について、輝度レベルから導かれた閾値とアクティビティレベルを有する閾値マップを生成するステップと、
前記閾値を対応する高周波数画像データと比較するステップとを有することを特徴とする方法。
【請求項１９】
請求項１８に記載の方法であって、
前記細部マップを生成するステップは、
対応する高周波数画像データより低い閾値を有する領域に正値を、対応する高周波数画像データより高い閾値を有する領域に負値を、対応する高周波数画像データと同じ閾値を有する領域にゼロをそれぞれ割り当てるステップをさらに含むことを特徴とする方法。
【請求項２０】
請求項１８に記載の方法であって、
前記画像の中心領域のピクセル位置の前記閾値は、前記画像の周辺のピクセル位置と比較して、より低いことを特徴とする方法。
【請求項２１】
請求項１８に記載の方法であって、
前記細部マップを生成するステップは、
他のエッジディテールからの距離が所定距離よりも大きいエッジディテールを削除するステップをさらに含むことを特徴とする方法。
【請求項２２】
請求項１８に記載の方法であって、
前記HDビデオ画像はIフレームを有し、
前記細部マップを生成するステップはPフレームとBフレームについて動き補償を実行するステップを含むことを特徴とする方法。
【請求項２３】
標準精細度（SD）フォーマット記録から高精細度（HD）ビデオ画像を再構成する方法であって、
前記記録からSDデータを抽出し復号するステップと、
重要度閾値に関するエッジディテールを記述する細部マップを前記記録から抽出するステップと、
前記復号されたSDデータをデ・インターレースするステップと、
前記HDビデオ画像を生成するために前記細部マップを用いて前記復号されたSDデータをアップスケールし後処理するステップとを有することを特徴とする方法。
【請求項２４】
請求項２３に記載の方法であって、前記エンハンスメント情報はMPEGユーザデータフィールドに格納されることを特徴とする方法。
【請求項２５】
請求項２３に記載の方法であって、
前記復号されたSDデータは、前記細部マップを用いて細部を前記HDビデオ画像に加え戻した後に適応的ピーキングを適用することにより後処理されることを特徴とする方法。
【請求項２６】
請求項２３に記載の方法であって、
前記細部マップを用いて前記HDビデオ画像に細部を加え戻した後に輝度遷移改良を適用することにより、前記復号されたSDデータを後処理することを特徴とする方法。
【請求項２７】
標準精細度（SD）媒体に（HD）ビデオ画像を格納および再生可能とするために、細部マップを生成する、記録可能媒体に格納されたプログラムであって、
HDビデオ画像から高周波数画像データを抽出する手段と、
前記HDビデオ画像の各領域について、輝度レベルから導かれた閾値とアクティビティレベルを有する閾値マップを生成する手段と、
前記閾値を対応する高周波数画像データと比較する手段とを有することを特徴とするプログラム。